(57)【特許請求の範囲】
【請求項１】
ボールを打撃するフェースと、このフェースのヒール側に連設されかつシャフト差込孔を有する筒状部とを有するヘッド本体、及び
該ヘッド本体よりも比重が大きい金属材料からなる錘部材とを含むアイアン型ゴルフクラブヘッドであって、
前記筒状部は、前記シャフト差込孔の下方に錘部材配置用の有底孔部が設けられ、
前記錘部材は、前記有底孔部に配されたヒール側錘部材を含み、
前記ヘッド本体は、前記フェースの主要部を構成するフェース板と、前後に貫通する開口部を有しかつ該開口部の回りに前記フェース板の周縁部のみを支持するフェース受け枠部とを含み、
前記フェース受け枠部は、前記開口部から該フェース受け枠部の内部をヒール側にのびることにより前後上下が閉じられたヒール側の空洞部を有し、
前記アイアン型ゴルフクラブヘッドが、該ヘッドに定められたライ角及びロフト角に保持して水平面に接地させた基準状態において、
前記空洞部には、前記フェース受け枠部よりも大きい比重の金属材料からなる中間錘部材が配され、
前記中間錘部材のトップ側の上面は、前記水平面からの高さが前記開口部側からヒール側に向かって一定であることを特徴とするアイアン型ゴルフクラブヘッド。
【請求項２】
前記ヒール側錘部材は、下方に向かってテーパ状をなす請求項１記載のアイアン型ゴルフクラブヘッド。
【請求項３】
前記中間錘部材のソール側の下面は、前記水平面からの高さが前記開口部側からヒール側に向かって一定である請求項１又は２に記載のアイアン型ゴルフクラブヘッド。
【請求項４】
前記中間錘部材の重心と前記シャフト差込孔の軸中心線との最短距離は、１０〜１４mmである請求項１乃至３のいずれかに記載のアイアン型ゴルフクラブヘッド。
【請求項５】
前記空洞部には、ボール打撃時の振動を吸収する弾性体がさらに配される請求項１乃至４のいずれかに記載のアイアン型ゴルフクラブヘッド。
【請求項６】
前記弾性体は、前記中間錘部材よりもトウ側に設けられる請求項５記載のアイアン型ゴルフクラブヘッド。
【請求項７】
前記錘部材は、前記ヘッド本体のトウ側に配されるトウ側錘部材を含む請求項１乃至６のいずれかに記載のアイアン型ゴルフクラブヘッド。
【発明の詳細な説明】
【技術分野】
【０００１】
本発明は、打球の方向安定性に優れたアイアン型ゴルフクラブヘッドに関する。
【背景技術】
【０００２】
近年、異なる金属材料からなる２種以上の部材を固着することにより、ヘッド重心の位置を改善したアイアン型ゴルフクラブヘッドが提案されている。図１０には、このようなアイアン型ゴルフクラブヘッドａの一例を示す。該クラブヘッドａは、本体部ｂと、この本体部ｂのフェース部背面のトウ部ｔ及びヒール部ｈの下方に配されかつ本体部ｂよりも比重の大きい錘部材ｃｔ、ｃｈとを含む。この種のクラブヘッドａでは、フェース部のトウ側及びヒール側に大きな質量が配分されるため、ヘッド重心Ｇを通る垂直軸周りの慣性モーメント（以下、このような慣性モーメントを「慣性モーメントＩｇ」という場合がある。）が大きくなり、ボールがフェースのスイートスポットのトウ側又はヒール側で打撃された場合でも、フェースの向きが変わり難く、打球の方向安定性が向上する。
【０００３】
しかしながら、上記のゴルフクラブヘッドでは、シャフトの軸中心線ＣＬ周りの慣性モーメント（以下、このような慣性モーメントを「慣性モーメントＩｃ」という場合がある。）が大きくなる傾向がある。このような慣性モーメントＩｃの大きいゴルフクラブヘッドａは、そもそもスイング時にアドレスの状態までフェースが戻りきらず、スライスが生じ易いという問題があった。
【先行技術文献】
【特許文献】
【０００４】
【特許文献１】特開２０１０−２９３８０号公報
【特許文献２】特開２００９−２９１４８８号公報
【発明の概要】
【発明が解決しようとする課題】
【０００５】
本発明は、以上のような実情に鑑み案出なされたもので、ヘッド本体のシャフト差込孔の下方に有底孔部を設け、この有底孔部にヒール側錘部材を配することを基本として、慣性モーメントＩｇを大きくしつつ、慣性モーメントＩｃの増加を抑えることにより、打球の方向安定性に優れたアイアン型ゴルフクラブヘッドを提供することを主たる目的としている。
【課題を解決するための手段】
【０００６】
本発明のうち請求項１記載の発明は、ボールを打撃するフェースと、このフェースのヒール側に連設されかつシャフト差込孔を有する筒状部とを有するヘッド本体、及び該ヘッド本体よりも比重が大きい金属材料からなる錘部材とを含むアイアン型ゴルフクラブヘッドであって、前記筒状部は、前記シャフト差込孔の下方に錘部材配置用の有底孔部が設けられ、前記錘部材は、前記有底孔部に配されたヒール側錘部材を含むことを特徴とする。 
【０００７】
また請求項２記載の発明は、前記ヒール側錘部材は、下方に向かってテーパ状をなす請求項１記載のアイアン型ゴルフクラブヘッドである。 
【０００８】
また請求項３記載の発明は、前記ヘッド本体は、前記フェースの主要部を構成するフェース板と、前後に貫通する開口部を有しかつ該開口部の回りに前記フェース板の周縁部のみを支持するフェース受け枠部とを含み、前記フェース受け枠部には、前記開口部から該フェース受け枠部の内部をヒール側にのびることにより前後上下が閉じられたヒール側の空洞部を有する請求項１又は２記載のアイアン型ゴルフクラブヘッドである。 
【０００９】
また請求項４記載の発明は、前記空洞部は、空間のままである請求項３記載のアイアン型ゴルフクラブヘッドである。 
【００１０】
また請求項５記載の発明は、前記空洞部には、前記フェース受け枠部よりも大きい比重の金属材料からなる中間錘部材が配される請求項３記載のアイアン型ゴルフクラブヘッドである。 
【００１１】
また請求項６記載の発明は、前記空洞部には、ボール打撃時の振動を吸収する弾性体が配される請求項３又は５記載のアイアン型ゴルフクラブヘッドである。 
【００１２】
また請求項７記載の発明は、前記錘部材は、前記ヘッド本体のトウ側に配されるトウ側錘部材を含む請求項１乃至６のいずれかに記載のアイアン型ゴルフクラブヘッドである。
【発明の効果】
【００１３】
本発明のアイアン型ゴルフクラブヘッドは、シャフト差込孔の下方に錘部材配置用の有底孔部が連設され、この有底孔部にヒール側錘部材が配される。従って、ヘッドのヒール側の下方に大きな質量を配分することができる。このようなアイアン型ゴルフクラブヘッドは、大きな慣性モーメントＩｇを得ることができる。また、シャフト差込孔の下方にヒール側錘部材が配されるため、シャフト軸中心線とヒール側錘部材の重心とが近接する。即ち、慣性モーメントＩｇを大きく確保しつつ慣性モーメントＩｃの増加を抑制できる。従って、本発明のクラブヘッドは、スイング時にフェースをアドレスした状態に戻し易くなるとともに、ミスショット時でもフェースの向きが変わり難いため、打球の方向安定性が向上する。さらに、ヘッドの下方にヒール錘部材を配するため、本発明のアイアン型ゴルフクラブヘッドは低重心となる。また、ヒール側錘部材は、シャフト差込孔の下方に設けられた有底孔部に配されるため、スイング中の遠心力が作用してもヘッド本体から外れることがない。さらに、有底孔部は、シャフト差込孔に連設されるため、加工性が良く、生産性にも優れる。
【図面の簡単な説明】
【００１４】
【図１】本発明の一実施形態のアイアン型ゴルフクラブヘッドの基準状態の正面図である。
【図２】その背面図である。
【図３】図２のＸ−Ｘ拡大端面図である。
【図４】図２のＹ−Ｙ拡大端面図、
【図５】図２のＺ−Ｚ拡大端面図である。
【図６】フェース受け枠部の背面図である。
【図７】本実施形態のヘッド本体の斜視図である。
【図８】（ａ）、（ｂ）及び（ｃ）は、本発明の他の実施形態の背面図である。
【図９】比較例１のゴルフクラブヘッドの構造を表す図である。
【図１０】従来の技術を説明するヘッドの正面図である。
【発明を実施するための形態】
【００１５】
以下、本発明の実施の一形態が図面に基づき説明される。
図１及び２において、本実施形態のアイアン型ゴルフクラブヘッド（以下、単に「クラブヘッド」又は「ヘッド」ということがある。）１は、ボールを打撃する実質的に平面からなるフェース２と、このフェース２の上縁に連なりかつヘッド上部を形成するトップ面３と、フェース２の下縁に連なりヘッド底面を形成するソール面４と、前記トップ面３と前記ソール面４との間を滑らかに湾曲して継ぐトウ面５と、前記フェース２と反対側の面をなすバックフェース面６と、シャフトＳが装着されるシャフト差込孔７ａを有する筒状部７とを有する。なお、シャフトＳが装着されていない場合、ヘッド１のライ角αは、前記シャフト差込孔７ａの軸中心線ＣＬを基準とすることができる。
【００１６】
また、ヘッド１は、基準状態に置かれているものとする。該基準状態とは、当該ヘッドに定められたライ角及びロフト角に保持して水平面ＨＰに接地させた状態とする。特に言及されていない場合、クラブヘッド１は、この基準状態に置かれているものとする。
【００１７】
また、本実施形態のクラブヘッド１は、前記フェース２と、このフェース２のヒール側に連設される筒状部７とを一体に有するヘッド本体１Ａ、及び、該ヘッド本体１Ａよりも比重が大きい金属材料からなる錘部材１Ｂとを含んで構成される。
【００１８】
ヘッド本体１Ａは、例えば、フェース２の主要部を構成するフェース板８と、該フェース板８の周縁部のみを支持するフェース受け枠部９とを含んで構成される。ここで、フェース２の主要部とは、フェース２の少なくとも６０％の面積を意味し、より好ましくは７０％以上、さらに好ましくは７５％以上とする。
【００１９】
フェース板８には、比強度が大きくかつ反発性能に優れた金属材料が望ましく、またフェース受け枠部９には、フェース板８とは異なる金属材料、とりわけフェース板８よりも高比重の金属材料が好適である。前記フェース板８及びフェース受け枠部９には、例えば、チタン、チタン合金、アルミニウム合金、ステンレス鋼又は軟鉄などの種々の金属材料が採用できる。
【００２０】
本実施形態のように、ヘッド本体１Ａが２種以上の材料から構成される場合、ヘッド本体１Ａの比重は、平均比重とし、フェース板８の体積とフェース受け枠部９の体積とで夫々重み付けされて計算される。そして、このヘッド本体１Ａの比重ρ１は、振り易さを確保しつつヘッド１に必要な体積を確保するために好ましくは５．０以上、より好ましくは６．０以上が望ましく、また好ましくは８．０以下、より好ましくは７．０以下が望ましい。
【００２１】
また、本実施形態のように、ヘッド本体１Ａが２種の金属材料で形成される場合、慣性モーメントやスイートエリアの大きいヘッド１を提供する観点より、フェース板８の比重ρ２は、好ましくは２．０以上、より好ましくは４．０以上が望ましく、また好ましくは５．０以下、より好ましくは４．７以下が望ましい。また、フェース受け枠部９の比重ρ３は、好ましくは７以上、より好ましくは７．５以上が望ましく、また好ましくは９．０以下、より好ましくは８．０以下が望ましい。
【００２２】
本実施形態のフェース板８にはチタン合金が採用される一方、フェース受け枠部９には前記チタン合金よりも比重が大きいステンレス鋼が用いられる。これにより、フェース板８の周辺部により多くの重量が配分され、慣性モーメントやスイートエリアの大きいヘッド１が提供される。なお、フェース板８とフェース受け枠部９とにおいて、金属材料の組み合わせは、種々変更しうるのは言うまでもない。また、ヘッド本体１Ａは、一種の金属材料で構成されても良い。
【００２３】
図３乃至５に示されるように、本実施形態のフェース板８は、実質的に一定の厚さｔで形成される。フェース板８の厚さｔは、大きすぎるとヘッドの反発性が低下しやすく、小さすぎると強度が不足して耐久性を悪化させる傾向があるため、好ましくは２．０mm以上、より好ましくは２．２mm以上が望ましく、また、好ましくは３．０mm以下、より好ましくは２．８mm以下が望ましい。なお、フェース板８は、厚さが変化しても良く、例えば、中央部に向かって段階的に又は連続的に厚さが減少するものや、逆に増加するものでもよい。
【００２４】
フェース板８の輪郭形状は、例えばフェース２の輪郭に合わせてヒール側からトウ側に向かって高さが徐々に大となるのが好ましい。なお、慣例に従い、フェース２には、ボールとの摩擦力を高める凹溝などのフェースラインＦＬが複数本隔設されている。
【００２５】
図３乃至６に示されるように、前記フェース受け枠部９は、前側にフェース板８が装着されるフェース取付部１０が設けられた外周枠１１と、該外周枠１１のヒール側に連設された前記筒状部７とを含んで構成される。
【００２６】
前記外周枠１１は、ヘッド上部をトウ側からヒール側に向かって斜め下方にのびるトップ部枠１１ａと、ヘッド底部をトウ、ヒール方向にのびるソール部枠１１ｂと、トウ側でこれらの間を継ぐトウ部枠１１ｃと、トップ部枠１１ａとソール部枠１１ｂとの間をヒール側で継ぐヒール部枠１１ｄと、前記トップ部枠１１ａ、トウ部枠１１ｃ、ソール部枠１１ｂ及びヒール部枠１１ｄで囲まれかつヘッド前後方向に貫通する開口部Ｏとを含んでいる。
【００２７】
前記開口部Ｏの周りには、前記フェース取付部１０が設けられる。図３及び４に示されるように、このフェース取付部１０は、例えば、フェース板８の背面８ａの周縁部８ｂのみを支持する環状の受け面１０ａと、この受け面１０ａの外周縁からフェース２側にのびかつフェース板８の外周面８ｃを保持する内周面１０ｂとを含む略ステップ状で形成される。そして、フェース板８とフェース受け枠部９とは、例えば、溶接、ロウ付け、カシメ、接着剤及び／又はねじなどの接合手段により一体化される。なお、フェース取付部１０にフェース板８が装着されると、開口部Ｏは閉じられ、フェース板８の背面には、外周枠１１で囲まれるキャビティＫが形成される。
【００２８】
前記ソール部枠１１ｂには、フェース取付部１０の受け面１０ａの上端部からヘッド後方に小長さでのびる小壁部１５と、この小壁部１５の後端部から上方に立ち上がることにより、該小壁部１５と背面８ａとの間に小隙間Ｃを形成する背壁部１６と、該背壁部１６の上端部からヘッド後方にのびるソール壁部１７を含む。このようなキャビティ構造は、ヘッド重心Ｇをより後方に位置させるのに役立つ。
【００２９】
図１に示されるように、前記筒状部７には、前記シャフト差込孔７ａと、該シャフト差込孔７ａの下方に連設されかつ錘部材１Ｂが配置される錘部材配置用の有底孔部７ｂとが設けられる。
【００３０】
前記シャフト差込孔７ａは、例えば、断面が円形であり、かつ内径φがシャフト差込孔７ａの軸中心線ＣＬに沿って実質的に同一で連続する円柱状で形成される。
【００３１】
前記有底孔部７ｂは、シャフト差込孔７ａの下端７ａｅに連続して設けられている。また、本実施形態の有底孔部７ｂは、断面が円形であり、前記シャフト差込孔７ａの下端７ａｅからソール面に向かってテーパ状でのびる内側面７ｂｃと、ヒール枠部１１ｄの内部で終端する底部面７ｂｅとを有するコーン状の空間をなす。さらに、本実施形態の有底孔部７ｂは、その軸中心線ＣＫが、シャフトの軸中心線ＣＬと同軸に形成されている。なお、有底孔部７ｂに配置される錘部材は、シャフト差込孔７ａから挿入可能な外径を有する。従って、錘部材と有底孔部７ｂのガタツキを無くすために、有底孔部の最大径は、シャフト差込孔の内径と同一化それよりも小さく形成されるのが望ましい。
【００３２】
上述のような有底孔部７ｂは、例えば、フェース受け枠部９を鋳造成形する際に形成されても良いし、また鋳造によりシャフト差込孔７ａだけを形成し、後に、そこからドリル等を挿入して穿設されても良い。このような有底孔部７ｂは、加工性が良く、生産性に優れる。
【００３３】
図１に示されるように、前記錘部材１Ｂは、有底孔部７ｂに配されるヒール側錘部材１８を含む。このようなクラブヘッド１は、ヘッド１のヒール側の下方に大きな質量が配分されるため、慣性モーメントＩｇが大きい。従って、ミスショット時のフェースの動きを抑制し、打球の方向安定性が向上する。
【００３４】
また、錘部材１８は、シャフト差込孔７ａの下方に配されるため、その重心Ｇｈがシャフト差込孔７ａの軸中心線ＣＬと近接する。このようなクラブヘッド１は、慣性モーメントＩｇを大きくしつつ、シャフト軸回りの慣性モーメントＩｃの増加を抑制する。従って、本発明のクラブヘッド１は、ミスショット時でもフェースの向きが変わり難いという作用を維持しつつ、スイング時にフェースをアドレスした状態に戻し易くなるため、より一層、打球の方向安定性が向上する。
【００３５】
本実施形態のヒール側錘部材１８は、有底孔部７ｂの内側面７ｂｅに面する外周面１８ａと、有底孔部７ｂの底部面７ｂｅに面する下面１８ｂとを有し、有底孔部７ｂの形状に略一致するコーン状をなす。従って、ヒール側錘部材１８は、シャフト差込孔７ａから容易に有底孔部７ｂに挿入することができ、かつ、挿入された後は、有底孔部７ｂとのガタツキを減じることができる。従って、本実施形態のゴルフクラブヘッド１は、生産性に優れるとともに、ヒール側錘部材１８と有底孔部７ｂとのスイング時の衝突による音鳴りを防止できる。ヒール側錘部材１８と有底孔部７ｂとは、例えば接着材またはろう付け等により、強固に固着されるのが好ましい。
【００３６】
本実施形態のヒール側錘部材１８の重心Ｇｈは、シャフト差込孔７ａの軸中心線ＣＬの延長線上にある。このようなクラブヘッド１は、慣性モーメントＩｃの増加をさらに確実に抑制でき、打球の方向安定性がより一層向上する。このように、シャフト軸中心線ＣＬとヒール側錘部材１８の重心Ｇｈとの最短の距離Ｌ１は、最も好ましい態様では、実質的に零（製造上の僅かな誤差は許容される）である。しかしながら、該距離Ｌ１は、１．０mm以下、より好ましくは０．５mm以下でも十分に上記作用を発揮できる。
【００３７】
本実施形態では、ヒール側錘部材１８が有底孔部７ｂに固着され、その後、シャフトＳがシャフト差込孔７ａに挿入されて固着される。本実施形態では、有底孔部７ｂは、シャフト差込孔７ａよりも僅かに小径で形成されている。このため、シャフトＳは、シャフト差込孔７ａの下端７ａｅの段差部でその下方位置が規制されるとともに、該シャフトＳの下端でヒール側錘部材１８を抑えることが可能である。なお、シャフトＳとヒール側錘部材１８との間に、衝撃吸収用のブッシュなどを介在させることも好ましい。
【００３８】
このようなヒール側錘部材１８は、スイング中の遠心力が作用しても、ヘッド本体１Ａから外れることがない。特に、本実施形態ヒール側錘部材１８及び有底孔部１７ｂは、ヘッド１のソール側に向かってテーパ状をなすコーン状で形成されるため、スイング時には、遠心力によりヒール側錘部材１８が有底孔部１７ｂにより食い込む方向の力を受け、ヘッド本体１Ａからより外れにくくなる。また、ヒール側錘部材１８は、ヘッド本体１Ａ及びシャフトＳによって覆われ、外部に露出しない。従って、プレーヤーに心理的な影響を与えることもない。
【００３９】
なお、有底孔部７ｂは、例えば、円柱状や四角柱状でもよい。また、ヒール側錘部材１８の外周面１８ａと有底孔部７ｂの内側面７ｂｃとに互いに噛み合うネジ溝を形成し、両者をネジ対偶として結合することもできる。
【００４０】
また、図３及び６に示されるように、本実施形態の錘部材１Ｂは、ヘッド本体のトウ側に配されるトウ側錘部材１９を含む。本実施形態のヘッド１は、ソール部枠１１ｂのトウ側に凹部１３が設けられ、この凹部１３にトウ側錘部材１９が固着されている。
【００４１】
前記凹部１３は、完成されたクラブヘッド１の外面から凹むものであれば、その形状は何ら限定されるものではない。本実施形態の凹部１３は、フェース２と実質的に平行な底面１３ｅと、該底面１３ｅに連なりかつ底面１３ｅから実質的に直交してヘッド後方にのびる下向き面１３ｉとからなる入隅状をなし、ソール面４及びバックフェース面で開口している。さらに、本実施形態の凹部１３は、スイートスポットＳＳよりもトウ側かつヘッド底部側に設けられる。なお、前記スイートスポットＳＳは、図４に示されるように、ヘッド重心Ｇからフェース２に立てた法線Ｎとフェース２との交点とする。
【００４２】
前記トウ側錘部材１９は、凹部１３の下向き面１３ｉに固着される上面１９ａと、凹部１３の底面１３ｅに固着される前面１９ｂと、ソール面４に露出する底面１９ｃと、バックフェース面に露出する後面１９ｄとを有する。本実施形態では、トウ側錘部材１９と前記凹部１３とは、例えば溶接により強固に固着される。このようなトウ側錘部材１９は、スイートスポットＳＳよりもトウ側かつソール面側に設けられるため、ヘッド１を低重心化するとともに、前記ヒール側錘部材１８と協同して慣性モーメントＩｇを大きくするのに役立つ。
【００４３】
前記ヒール側錘部材１８及びトウ側錘部材１９の各比重ρ４は、特に限定されるものではないが、小さすぎるとトウ側及びヒール側に大きな質量を配分できないおそれがあり、逆に大きすぎると、製造コストが増加するおそれがある。このような観点により、前記比重ρ４は、好ましくは８以上、より好ましくは９以上が望ましく、また好ましくは１９以下、より好ましくは１８以下が望ましい。
【００４４】
ヒール側錘部材１８及びトウ側錘部材１９の比重は、同一でも良いし異なっても良い。本実施形態では、形成位置の関係上、ヒール側錘部材１８の体積が、トウ側錘部材１９の体積に比して小さく形成される。両者の質量を近づけて慣性モーメントＩｇを大きくするためには、前記比重の範囲内において、ヒール側錘部材１８の比重ρ４ｈが、トウ側錘部材１９の比重ρ４ｔよりも大きいことが好ましい。このようなクラブヘッド１は、ヒール側及びトウ側の質量バランスがよく、前記慣性モーメントＩｇをより大きくできる。
【００４５】
また、上記作用効果を有効に発揮させるために、ヒール側錘部材１８の質量は、好ましくは７ｇ以上、より好ましくは１１ｇ以上が望ましく、また好ましくは１５ｇ以下、より好ましくは１３ｇ以下が望ましい。同様に、トウ側錘部材１９の質量は、好ましくは３０ｇ以上、より好ましくは４０ｇ以上が望ましく、また好ましくは７０ｇ以下、より好ましくは６０ｇ以下が望ましい。
【００４６】
このような錘部材１８、１９としては、例えば、ステンレス、タングステン、タングステン合金、銅合金、ニッケル合金などの１種又は２種以上の金属材料が好適である。本実施形態の錘部材には、タングステン、ステンレス鋼及びニッケルを含むタングステン合金が採用される。
【００４７】
本実施形態のクラブヘッド１の前記慣性モーメントＩｇは、過度に大きくなるとヘッド１の質量も大きくなり、スイングバランスが悪化する傾向があり、逆に過度に小さくなると、ミスショット時にフェースの向きが変わり易く、打球の方向安定性が悪化する傾向がある。このような観点より、前記慣性モーメントＩｇは、好ましくは２７００g・cm2以上、より好ましくは２９００g・cm2以上が望ましく、また好ましくは４０００g・cm2以下、より好ましくは３５００g・cm2以下が望ましい。
【００４８】
同様に、前記慣性モーメントＩｃは、大きくなるとスイング時にアドレスの状態までフェースが戻りきらずスライスが生じ易い傾向があり、逆に小さくなると、ヘッドの返りが過度に向上し、アドレスの状態を超えてフェースが戻るためフックが生じ易い傾向がある。このような観点より、前記慣性モーメントＩｃは、好ましくは５８００g・cm2以上、より好ましくは６１００g・cm2以上が望ましく、また好ましくは６８００g・cm2以下、より好ましくは６５００g・cm２以下が望ましい。
【００４９】
また、図７に示されるように、本実施形態のヘッド１は、フェース受け枠部９に、前記開口部Ｏから該フェース受け枠部９の内部をヒール側にのびることにより前後上下が閉じられたヒール側の空洞部１２が形成される。
【００５０】
前記空洞部１２は、ソール側の下面１２ａ、トップ側の上面１２ｂ、ヒール側の底面１２ｃ、フェース側の前面１２ｄ及びバックフェース側の背面１２ｅを有する横長の四角柱状の空間として形成されている。この空洞部１２は、前記底面１２ｃでフェース受け枠部９の内部で終端する。このようなフェース受け枠部９は、ヘッド本体を軽量化し、重量配分設計に必要な大きな重量マージンを捻出することができる。なお、空洞部１２の形状は、円柱状や円錐状でヒール側にのびるものでも良く、種々の態様に変形しうるのは言うまでもない。
【００５１】
前記空洞部１２の体積Ｖ１は、好ましくは０．２cm3以上、より好ましくは０．４cm3以上が望ましい。これにより、ヘッド本体１Ａのヒール側に十分な空間を形成し、大きな重量マージンを確保することができる。また、空洞部１２の体積Ｖ１は、好ましくは１．０cm3以下、より好ましくは０．６cm3以下が望ましい。前記体積Ｖ１が、大きくなると、ヘッド本体１Ａのヒール側の強度が低下し、耐久性が悪化するおそれがある。
【００５２】
図１の実施形態では、空洞部１２に、フェース受け枠部９よりも比重の大きい金属材料からなる中間錘部材２０が配される。本実施形態の中間錘部材２０は、空洞部１２の下面１２ａ、上面１２ｂ、底面１２ｃ、前面１２ｄ及び背面１２ｅに面する外周面を有した四角柱状で形成されている。このようなヘッド１は、ヒール側にさらに重量物を配することができるため、慣性モーメントＩｃの増加を抑制しつつ、慣性モーメントＩｇをさらに大きくすることができる。また、空洞部１２は、前後上下を閉じられているため、ヘッド本体の強度低下を防止しうる他、打球時でも、中間錘部材２０が前後、上下に位置ズレするのを防止し、耐久性を向上できる。
【００５３】
図２に示されるように、中間錘部材２０の重心Ｇｃとシャフト差込孔７ａの軸中心線ＣＬとの最短距離Ｌ２は、好ましくは１０mm以上、より好ましくは１２mm以上が望ましい。前記距離Ｌ２が過度に小さくなると、有底孔部７ｂと空洞部１２とを仕切る壁部の肉厚が小さくなり、耐久性が悪化する傾向がある。逆に、前記距離Ｌ２が大きくなると、慣性モーメントＩｃが過度に大きくなり、打球の方向安定性が悪化するおそれがあるので、前記距離Ｌ２は、好ましくは１５mm以下、より好ましくは１４mm以下が望ましい。
【００５４】
また、中間錘部材２０は、前記錘部材１Ｂと同様の金属材料からなるものが好ましい。即ち、中間錘部材２０の比重ρ５は、好ましくは９以上、より好ましくは１５以上が望ましく、また好ましくは２５以下、より好ましくは２０以下が望ましい。また、中間錘部材２０の質量は、好ましくは２ｇ以上、より好ましくは４ｇ以上が望ましく、また好ましくは１５ｇ以下、より好ましくは１０ｇ以下が望ましい。
【００５５】
さらに、図１に示されるように、本実施形態のヘッド１は、空洞部１２に、ボール打撃時の振動を吸収する弾性体２１が配される。本実施形態の弾性体２１は、空洞部１２の内部かつ中間錘部材２０のトウ側を覆うように配置される。このようなクラブヘッド１は、ボールを打撃することで生じるフェース板８の振動を弾性体２１が素早く吸収するため、打球感が向上する。
【００５６】
また、本実施形態の弾性体２１は、空洞部１２の下面１２ａと接触する下方面２１ａと、前記上面１２ｂと接触する上方面２１ｂと、前記前面１２ｄと接触する前方面２１ｄと、前記背面１２ｅと接触する背方面２１ｅとを含むことにより、その四周が空洞部１２と連続して接触している。このような弾性体２１は、フェース板８からの振動を確実に減衰できる。また、弾性体２１のヒール側の底方面２１ｃは、前記中間錘部材２０を介してフェース受け枠部９に接触するため、さらに振動が減衰される。なお、弾性体２１は、フェース受け枠部９に例えば接着材等を介して固着される。
【００５７】
前記弾性体２１は、例えばゴム、樹脂又はエラストマー等が好適であり、とりわけ、スチレン系熱可塑性エラストマー、ウレタン系熱可塑性エラストマー等のソフトセグメントとハードセグメントとからなる熱可塑性エラストマー又はナイロン等の熱可塑性エラストマー等が望ましい。
【００５８】
また弾性体２１の硬度は、特に限定されないが、大きすぎると、十分な衝撃吸収能力を発揮できない傾向があり、逆に小さすぎても耐久性が悪化する傾向がある。このような観点より前記弾性体２１の硬度（ＪＩＳ−Ｄ硬度）は、好ましくは４０゜以上、より好ましくは５０゜以上が望ましく、また、好ましくは９０゜以下、より好ましくは８０゜以下が望ましい。
【００５９】
図８（ａ）乃至（ｃ）には、本発明の他の実施形態が示される。図８（ａ）の実施形態では、空洞部１２は、空間のままであり、その内部に何も設けられていない。このようなヘッド１は、軽量化を図るとともに、ヒール側の質量が削減されるため、慣性モーメントＩｃを大きくして、スイング時にフェースをアドレスした状態から過度に戻る状態を抑制し、ミスショットを抑制する。また、空洞部１２の形成によって得られた重量マージンを他の部分に配分してヘッド質量を増大することなく、ヘッド重心の位置を調節することができる。
【００６０】
また、図８（ｂ）の実施形態では、前記空洞部１２は、中間錘部材２０のみが配されており、図８（ｃ）の実施形態では、空洞部１２に、弾性体２１のみが配されている。このように、空洞部１２は、種々の態様で利用され得る。
【００６１】
以上、本発明について詳細に説明したが、本発明は上記の具体的な実施形態に限定させることなく、必要に応じて種々の態様に変更しうる。
【実施例】
【００６２】
本発明の効果を確認するために、図１〜４の基本構成を有しかつ表１の仕様に基づいたアイアン型ゴルフクラブヘッドが試作され、実打テストが行なわれた。各ヘッドは、ＳＵＳ６３０（比重：７．７８）をロストワックス精密鋳造法により成形された鋳造品からなる筒状部付のフェース受け枠部と、Ｔｉ−６Ａｌ−４Ｖのプレス成形品のフェース板（比重：４．５）とを接着剤及びかしめにより固着し成形した。また、空洞部、ヒール側錘部材及び中間錘部材の位置及び質量を変化させても、ヘッド本体の重心位置を変えないようにヘッド本体を製造した。さらに有底孔部の配設位置を各ヘッド同じ位置に設け、ヒール側錘部材の底部の配設位置も各ヘッド同じ位置とした。また、空洞部の配設位置は、距離Ｌ２により、各ヘッド適宜位置替えしている。表１に示すパラメータ以外はすべて同一であり、主な共通仕様は次の通りである。
【００６３】
ヘッド重量：２４８ｇ（５番アイアン）
ライ角：６１°
ロフト角：２４°
ヘッド本体の比重ρ１：７．７８
フェース板の厚さｔ：３．３mm
ヒール側錘部材：タングステン−ニッケル合金（比重：１８）
トウ側錘部材：タングステン−ニッケル合金（比重：９．８）
トウ側錘部材の質量：４９ｇ
中間錘部材：タングステン−ニッケル合金（比重：９．８又は１８）
フェース板とフェース受け枠部との接合：圧入
ヒール錘部材とフェース受け枠部との接合：接着
トウ側錘部材とフェース受け枠部との接合：Ｔｉｇ溶接
中間錘部材とフェース受け枠部との接合：接着
弾性体：熱硬化性ポリウレタン（ＪＩＳ−Ｄ硬度：６０度）
比較例１の錘部材：５０g
【００６４】
実打テストは、各供試ヘッドに、同一のＦＲＰシャフト（ＳＲＩスポーツ（株）製のＭＰ−５００、フレックスＲ）を装着して３８インチのアイアンクラブが試作され、各テストクラブを用いてハンディキャップ５〜１５のゴルファー５名で、ＳＲＩスポーツ製の市販３ピースゴルフボール「ＸＸＩＯ」（同社の登録商標）を打球することにより行なわれた。結果は、各ゴルファーが各テストクラブで５球ずつ打撃し、方向性、上がり易さ及び打球感が５点法で評価され、その平均値が計算された。数値が大きいほど良好である。
【００６５】
なお、表１の「慣性モーメントＩｇ」とは、前述の基準状態におけるヘッド重心Ｇを通る垂直軸周りの慣性モーメントである。また、表１の「慣性モーメントＩｃ」とは、前記基準状態におけるシャフト差込孔の軸中心線ＣＬ周りの慣性モーメントである。
テストの結果等を表１に示す。
【００６６】
【表１】
0005654849.tif 000002
0005654849.tif 000003
【００６７】
テストの結果、実施例のアイアン型ゴルフクラブヘッドは、比較例に比べて方向性および上がり易さ等が有意に向上していることが確認できる。
【符号の説明】
【００６８】
１  アイアン型ゴルフクラブヘッド
１Ａ  ヘッド本体
１Ｂ  錘部材
２  フェース
７  筒状部
７ａ  シャフト差込孔
７ｂ  有底孔部
１８  ヒール側錘部材
【図１】
0005654849.tif 000004
【図２】
0005654849.tif 000005
【図３】
0005654849.tif 000006
【図４】
0005654849.tif 000007
【図５】
0005654849.tif 000008
【図６】
0005654849.tif 000009
【図７】
0005654849.tif 000010
【図８】
0005654849.tif 000011
【図９】
0005654849.tif 000012
【図１０】
0005654849.tif 000013